(57)【要約】【課題】使用状態の棚受け具の強度を確保することができ、また折り畳まれた状態及び使用状態に形状を容易に変化させることができる折畳み式棚受け具を提供する。【解決手段】壁側部材１に、壁側部材１に対する棚側部材２の回転の支点になるピン４、及び壁側部材１に対する棚側部材２の回転を制限する回転制限部１ｃと、を設ける。棚側部材２に、壁側部材１のピン４が嵌められる長溝５を設ける。折り畳まれた状態の棚側部材２を壁側部材１に対して略直角に開き、棚側部材２を壁側部材１に向かって長溝５が伸びる方向にスライドさせることによって、棚側部材２が壁側部材１に対して回転しないように、ピン４よりも奥側の棚側部材２と壁側部材１の回転制限部１ｃとが当接点Ｐ１にて当接する。これにより、棚側部材２を壁側部材１に対して折り畳むことができなくなる。【選択図】図７
2010183966.tif 000002
【特許請求の範囲】
【請求項１】
壁に取り付けられる壁側部材と、棚板に取り付けられる棚側部材と、を備え、前記棚側部材が前記壁側部材に対して折り畳まれた状態から略直角になる使用状態まで形状が変化する折畳み式棚受け具において、
前記壁側部材は、前記壁側部材に対する前記棚側部材の回転の支点になるピンと、前記壁側部材に対する前記棚側部材の回転を制限する回転制限部と、を有し、
前記棚側部材は、前記壁側部材の前記ピンが嵌められる長溝を有し、
折り畳まれた状態の前記棚側部材を前記壁側部材に対して略直角に開き、前記棚側部材を前記壁側部材に向かって前記長溝が伸びる方向にスライドさせることによって、前記棚側部材が前記壁側部材に対して回転しないように、前記ピンよりも奥側の前記棚側部材と前記壁側部材の前記回転制限部とが当接し、これにより前記棚側部材を前記壁側部材に対して折り畳むことができなくなる一方、
折り畳むことのできない状態の前記棚側部材を前記壁側部材から離間する方向にスライドさせることによって、前記棚側部材が前記壁側部材に対して回転できるようになり、これにより前記棚側部材を前記壁側部材に対して折り畳むことができる折畳み式棚受け具。
【請求項２】
前記棚側部材には、前記壁側部材の前記ピンに係合可能な板ばねが設けられ、
折り畳まれた状態の前記棚側部材を前記壁側部材に対して略直角に開き、前記棚側部材を前記壁側部材に向かって前記長溝が伸びる方向にスライドさせることによって、前記板ばねが前記ピンに係合し、前記棚側部材が前記壁側部材に仮止めされることを特徴とする請求項１に記載の折畳み式棚受け具。
【請求項３】
前記壁側部材には、前記壁側部材の長さ方向にスライド可能なロック部材が設けられ、
前記ロック部材を前記棚側部材に向かってスライドさせることによって、前記ロック部材が前記棚側部材に係合し、前記棚側部材を前記壁側部材から引き出すことができなくなる一方、
前記ロック部材を前記棚側部材から離間する方向にスライドさせることによって、前記ロック部材と前記棚側部材との係合が外れることを特徴とする請求項１に記載の折畳み式棚受け具。
【請求項４】
前記棚側部材には、前記ロック部材が係合するステーが曲げ加工により一体に形成されることを特徴とする請求項３に記載の折畳み式棚受け具。
【発明の詳細な説明】
【技術分野】
【０００１】
本発明は、壁に水平に取り付けられる棚板を支持する折畳み式棚受け具に関する。
【背景技術】
【０００２】
折畳み式棚受け具は、壁にねじ等で固定される壁側部材と、棚板にねじ等で固定される棚側部材と、を備える。棚受け具の全体形状は略Ｌ字形に形成される。壁側部材及び棚側部材はいずれも細長く直線状に伸び、棚側部材が壁側部材に対して略直角を保つ。壁側部材及び棚側部材はその長さ方向の端部で互いに回転可能に連結される。折畳み式棚受け具は、使用状態において略直角を保つ一方、非使用状態において棚側部材が壁側部材に略平行になるまで折り曲げられる。非使用状態において折り畳むことにより、壁から棚板が出っ張るのを防止することができ、スペースを有効活用できる。
【０００３】
従来の折畳み式棚受け具として、特許文献１には、壁側部材と棚側部材とをピンによりピボット的に回転可能に連結した棚受け具が開示されている。棚側部材には、その長さ方向にスライド可能にスライド部材が設けられる。折り畳まれた状態の棚側部材を壁側部材に対して略直角に回転させた状態において、スライド部材を壁側部材に向かってスライドさせ、壁側部材の保持部に係合させることによって、略直角になる使用状態を保持することができる。
【０００４】
他方、特許文献２には、壁側部材の上端部のガイド板に水平方向に伸びる長溝を形成し、棚側部材にこの長溝に嵌まるピンを設けた折畳み式棚受け具が開示されている。折り畳まれた状態の棚側部材を壁側部材に対して略直角になるまで開き、棚側部材のピンを壁側部材のガイド板の長溝の奥まで押し込み、止めねじを用いてピンを壁側部材に固定することによって、棚側部材が壁側部材に対して略直角になる使用状態を保持することができる。
【先行技術文献】
【特許文献】
【０００５】
【特許文献１】特開２００８−２４５９５２号公報
【特許文献２】特開平７−２４３号公報
【発明の概要】
【発明が解決しようとする課題】
【０００６】
棚受け具は、その構造上、棚板のモーメント荷重を受けられる強度がなければならない。片持梁のように棚板の荷重を支持する必要があるからである。しかし、特許文献１に記載の棚受け具においては、棚側部材に設けたスライド部材がモーメント荷重を受けることになるので、壁側部材及び棚側部材だけでなく、スライド部材にも高い強度が必要になるという課題がある。
【０００７】
特許文献２に記載の棚受け具においては、止めねじでピンを固定しているだけなので、強度が十分とはいえない。このため、棚側部材及び壁側部材との間に筋交い状に連結アームを架け渡す必要がある。しかも、止めねじでピンを固定するためには、ピンを長溝の奥まで移動させなければならず、作業に手間がかかり、棚受け具を折り畳まれた状態及び使用状態に容易に変化させることができないという課題がある。
【０００８】
本発明はこのような従来の折畳み式棚受け具の課題を解決するものであり、使用状態の棚受け具の強度を確保することができ、また折り畳まれた状態及び使用状態に容易に形状を変化させることができる折畳み式棚受け具を提供することを目的とする。
【課題を解決するための手段】
【０００９】
上記課題を解決するために、請求項１に記載の発明は、壁に取り付けられる壁側部材と、棚板に取り付けられる棚側部材と、を備え、前記棚側部材が前記壁側部材に対して折り畳まれた状態から略直角になる使用状態まで形状が変化する折畳み式棚受け具において、前記壁側部材は、前記壁側部材に対する前記棚側部材の回転の支点になるピンと、前記壁側部材に対する前記棚側部材の回転を制限する回転制限部と、を有し、前記棚側部材は、前記壁側部材の前記ピンが嵌められる長溝を有し、折り畳まれた状態の前記棚側部材を前記壁側部材に対して略直角に開き、前記棚側部材を前記壁側部材に向かって前記長溝が伸びる方向にスライドさせることによって、前記棚側部材が前記壁側部材に対して回転しないように、前記ピンよりも奥側の前記棚側部材と前記壁側部材の前記回転制限部とが当接し、これにより前記棚側部材を前記壁側部材に対して折り畳むことができなくなる一方、折り畳むことのできない状態の前記棚側部材を前記壁側部材から離間する方向にスライドさせることによって、前記棚側部材が前記壁側部材に対して回転できるようになり、これにより前記棚側部材を前記壁側部材に対して折り畳むことができる折畳み式棚受け具である。
【００１０】
請求項２に記載の発明は、請求項１に記載の折畳み式棚受け具において、前記棚側部材には、前記壁側部材の前記ピンに係合可能な板ばねが設けられ、折り畳まれた状態の前記棚側部材を前記壁側部材に対して略直角に開き、前記棚側部材を前記壁側部材に向かって前記長溝が伸びる方向にスライドさせることによって、前記板ばねが前記ピンに係合し、前記棚側部材が前記壁側部材に仮止めされることを特徴とする。
【００１１】
請求項３に記載の発明は、請求項１に記載の折畳み式棚受け具において、前記壁側部材には、前記壁側部材の長さ方向にスライド可能なロック部材が設けられ、前記ロック部材を前記棚側部材に向かってスライドさせることによって、前記ロック部材が前記棚側部材に係合し、前記棚側部材を前記壁側部材から引き出すことができなくなる一方、前記ロック部材を前記棚側部材から離間する方向にスライドさせることによって、前記ロック部材と前記棚側部材との係合が外れることを特徴とする。
【００１２】
請求項４に記載の発明は、請求項３に記載の折畳み式棚受け具において、前記棚側部材には、前記ロック部材が係合するステーが曲げ加工により一体に形成されることを特徴とする。
【発明の効果】
【００１３】
請求項１に記載の発明によれば、壁側部材に棚側部材の回転の支点になるピンを設け、棚側部材にピンに嵌まる長溝を設けるので、棚側部材を壁側部材に向かってスライドさせることによって、棚側部材の回転の支点になるピンから棚側部材と壁側部材との当接点（作用点）までの距離を長くすることができる。このため、梃子の原理から、支点を挟んで当接点とは反対側に位置する棚板の垂直方向の荷重（力点）を当接点において小さな力で受けるこができ、強度の大きい棚受け具にすることができる。また、棚側部材に棚側部材の伸びる方向に細長い長溝を設けることによって、折り畳まれた状態において、棚側部材だけでなく、ピンに嵌まる長溝も下方に向く。このため、棚側部材がピンに対して水平方向にがたつくのを防止することができる。
【００１４】
請求項２に記載の発明によれば、棚側部材の板ばねが壁側部材のピンに係合する感触により、棚受け具が使用状態になったことを知ることができる。また、壁側部材のピンを仮止め用にも兼用することで、棚受け具の構造を簡素化することができる。
【００１５】
請求項３に記載の発明によれば、仮止めされた棚側部材をロックすることができるので、使用状態の棚側部材を安定させることができる。あらかじめ棚側部材が仮止めされおり、しかもドライバ等の工具を使わなくても棚側部材をロックすることができるので、棚側部材をロックする作業が容易になる。
【００１６】
請求項４に記載の発明によれば、棚側部材を曲げ加工するだけで容易にステーを形成することができる。
【図面の簡単な説明】
【００１７】
【図１】本発明の第一の実施形態の折畳み式棚受け具の正面図（使用状態）
【図２】棚側部材を引き出した状態の棚受け具の正面図
【図３】折り畳んだ状態の棚受け具の正面図
【図４】棚受け具の分解斜視図
【図５】折り畳んだ状態の棚受け具の断面図
【図６】壁側部材に対して棚側部材を直角に開いた状態の棚受け具の断面図
【図７】壁側部材に棚側部材を仮止めした状態の棚受け具の拡大断面図
【図８】壁側部材に棚側部材をロックした状態の棚受け具の断面図
【図９】本発明の第二の実施形態の棚受け具の正面図（使用状態）
【図１０】本発明の第二の実施形態の棚受け具の分解斜視図
【発明を実施するための形態】
【００１８】
以下添付図面に基づいて本発明の折畳み式棚受け具を詳細に説明する。図１ないし図３は、本発明の第一の実施形態の折畳み式棚受け具を示す。この折畳み式棚受け具は、建築物の壁、机、テーブル、椅子等の壁（側面）に取り付けられ、水平に棚板を支持する。
【００１９】
図１は使用状態の棚受け具の正面図を示す。棚受け具は、壁に取り付けられる壁側部材１と、棚板に取り付けられる棚側部材２と、を備える。壁側部材１及び棚側部材２はいずれも細長く直線状に伸びる。使用状態において、棚側部材２は水平方向に伸び、壁側部材１は垂直方向に伸びる。壁側部材１と棚側部材２とは、その長さ方向の端部で互いに連結される。
【００２０】
図２は棚側部材２を引き出した状態の棚受け具の正面図を示す。壁側部材１には、棚側部材２の回転の支点になるピン４が設けられる。棚側部材２の長さ方向の端部には、ピン４に嵌まる長溝として長孔５が形成される。長孔５は棚側部材２の伸びる方向に細長く伸びる。棚側部材２を壁側部材１から離間する方向に水平方向にスライドさせると、長孔５がその伸びる方向にピン４に沿ってスライドする。
【００２１】
図３は折り畳んだ状態の棚受け具の正面図を示す。引き出された状態の棚側部材２は、ピン４を支点にして回転できるようになり、その重力によって下に向かって回転する。棚側部材２は壁側部材１に略平行になるまで回転する。折り畳まれた状態において、棚側部材２は壁側部材１の側壁部１ａの上部の傾斜面１ａ１に接触する。このため、棚側部材２は壁側部材１に完全に平行になるまで回転することはなく、その少し手前で停止し、摘み６に当接することもない。
【００２２】
折り畳まれた状態の棚受け具を使用状態にするときは、まず、折り畳まれた状態の棚側部材２を壁側部材１に対して略直角に開く（図３→図２）。次に、棚側部材２を壁側部材１に向かって長孔５が伸びる方向にスライドさせる（図２→図１）。使用状態の棚受け具を折り畳まれた状態にするときは、上述とは逆の動作が行われる。まず、使用状態の棚側部材２を壁側部材１から水平方向に引き出す（図１→図２）。次に、棚側部材２をピン４を支点にして回転させ、折り畳まれた状態にする（図２→図３）。
【００２３】
図４は、棚受け具の分解斜視図を示す。壁側部材１は板金製であり、薄板を曲げ加工することにより製造される。壁側部材１は、ウェブ１ｂと、その両側に立ち上がり、互いに対向する一対の側壁部１ａと、を有し、断面Ｕ字形状に形成される。ウェブ１ｂには、複数の通し孔７が空けられる。ウェブ側から通し孔７にねじを通し、ねじを壁に締め付けることによって、壁側部材１の背面が壁に固定される。側壁部１ａには、壁側部材１に当接した棚側部材２を斜め下方に向けるための傾斜面１ａ１が形成される（図３参照）。側壁部１ａはさらに、傾斜面１ａ１の下端で最も盛り上がった後、壁側部材１の下方（図中右方向）に向けて壁に接近するような傾斜面１ａ２を有する。
【００２４】
壁側部材１の上端部（図中左端部）には、棚側部材２が挿入される開口８が形成される。この開口８は、対向する一対の側壁部１ａ、一対の側壁部１ａの上部に設けられる一対の上壁部１ｃ、及び切り欠かれたウェブ１ｂによって画定される。一対の上壁部１ｃは、対向する一対の側壁部１ａを内側に折り曲げることにより形成され、ピン４を支点として回転する棚側部材２の回転を制限する回転制限部として機能する。折り曲げられた一対の上壁部１ｃの突き当て面は、強度を高めるために溶接される。
【００２５】
一対の側壁部１ａそれぞれには、位置を合わせてピン挿入孔９が開けられる。このピン挿入孔９には、棚側部材２の回転の支点になるピン４が架け渡されるように挿入される。このピン４は棚側部材２の長孔５にも嵌まる。
【００２６】
ウェブ１ｂの長さ方向の中央には、その長さ方向に細長く伸びる案内溝１０が形成される。案内溝１０の両端には、径を拡大した凹部１１が形成される。案内溝１０に沿って移動させられる摘みは、案内溝１０の両端の凹部１１に位置決めされる。ウェブ１ｂの背面には、ロック部材１２がスライド可能に収納される。ロック部材１２は一対の側壁部１ａ間をスライドする。
【００２７】
ロック部材１２も板金製であり、ウェブ１２ｂと、その両側に立ち上がり、互いに対向する一対の側壁部１２ａと、を有する。ロック部材１２のウェブ１２ｂには、摘み６にねじ止め固定されるピン１３が貫通する貫通孔１２ｂ１が開けられる。ピン１３は壁側部材１の案内溝１０を貫通する。壁側部材１のウェブ１ｂは、摘み６とロック部材１２との間に挟まれる。ピン１３の周囲にはコイルばね１４が巻かれる。コイルばね１４はピン１３のフランジ１３ａと円筒状のばね受け１５との間に介在され、摘み６を壁側部材１の案内溝１０の凹部１１に着座させる付勢力を発する（図５参照）。
【００２８】
コイルばね１４によって摘み６が凹部１１に着座する状態では、摘み６を案内溝１０に沿ってスライドさせることができなくなる。摘み６の外径が案内溝１０の幅よりも大きいからである。その一方、摘み６を手でつかみ、コイルばね１４のばね力に抗して摘み６を凹部１１から持ち上げることによって、摘み６よりも細いピン１３が案内溝１０に沿ってスライドできるようになる。摘みを反対側の凹部１１に移動させた後、摘み６を放せば再びコイルばね１４のばね力によって摘み６が凹部１１に着座し、その状態が保たれる（図８参照）。摘み６の移動に伴ってロック部材１２が壁側部材１に沿ってスライドする。
【００２９】
ロック部材１２は、棚側部材２のステー１６に係合する。図４に示すように、ロック部材１２の側壁部１２ａの上端には、内側に折り曲げられた誤動作防止片１２ｃが設けられる。この誤動作防止片１２ｃは、棚側部材２が壁側部材１の開口８に完全に差し込まれない状態では、ロック部材１２を棚側部材２に向かってスライドさせようとしても、棚側部材２のステー１６に当たることにより、ロック部材１２をスライドできないようにする。棚側部材２を壁側部材１の開口８に完全に差し込んだ状態ではじめてロック部材１２を棚側部材２に向かってスライドできるようになる。
【００３０】
棚側部材２も板金製であり、薄板を曲げ加工することにより製造される。棚側部材２は、ウェブ２ｂと、その両側に立ち上がり、互いに対向する一対の側壁部２ａと、を有し、断面Ｕ字形状に形成される。ウェブ２ｂには、複数の通し孔１９が空けられる。ウェブ２ｂの下方側から通し孔１９にねじを通し、ねじを棚板に締め付けることによって、棚側部材２の上面が棚板に固定される。側壁部２ａは、棚側部材２の前方に向けて下面が上昇するようなテーパを有する。
【００３１】
棚側部材２の端部には、壁側部材１の開口８に挿入される被挿入部２０が形成される。この被挿入部２０において、一対の側壁部２ａには側壁部２ａ間の幅を狭めるような段差２１が付けられている。棚側部材２の被挿入部２０は、壁側部材１の開口８の内側に挿入される。使用状態において、棚側部材２の被挿入部２０は、側壁部２ａの段差２１が壁側部材１の開口８を画定する側壁部１ａに当接するまで開口８の奥まで挿入される。棚側部材２の被挿入部２０が壁側部材１の開口８に挿入されたとき、棚側部材２の側壁部２ａに形成される長孔５が壁側部材１の側壁部１ａ内に隠れる。このため使用状態の棚受け具の美観が向上する。
【００３２】
棚側部材２のウェブ２ｂの端部には、壁側部材１に向かって折れ曲がるステー１６が曲げ加工により一体に形成される。摘み６を持ってロック部材１２を棚側部材２に向かってスライドさせると、棚側部材２のステー１６とロック部材１２が係合し、棚側部材２を壁側部材１から引き出すことができなくなる（図８参照）。その一方、摘み６を持ってロック部材１２を棚側部材２から離間する方向にスライドさせると、ロック部材１２と棚側部材２のステー１６との係合が外れ、棚側部材２を壁側部材１から引き出すことができるようになる（図７参照）。
【００３３】
棚側部材２の被挿入部２０の側壁には、棚側部材２の長さ方向に伸びる長孔５が形成される。長孔５の奥側の端部は、棚側部材２を折り畳み易いように幅が拡大されている。棚側部材２のウェブ２ｂには、波形状に折れ曲がる板ばね２２が取り付けられる。板ばね２２は一端を固定し、他端を自由にした状態でウェブ２ｂに固定される（図７参照）。板ばね２２の波形状は、使用状態及び引き出した状態の棚側部材２の位置を保持する力を発するように形成される。
【００３４】
図５ないし図７は、折り畳まれた状態の棚受け具を使用状態にするときの棚受け具の断面形状の変化を示す。図５の折り畳まれた状態において、棚側部材２は壁側部材１の傾斜面１ａ１に当接し、斜め下方を向く。そして、棚側部材２の長さ方向に伸びる長孔５が下方向を向き、板ばね２２がピン４を長孔５の拡大部５ａに付勢する。このため、折り畳まれた状態の棚受け具を搬送する場合に、壁側部材１を垂直上方向に向けると、棚側部材２がぶらぶら揺れ動くことを防止できる。なお、折り畳まれた状態では、摘み６は案内溝１０の下側の凹部１１に着座し、ロック部材１２は棚側部材２から離間している。
【００３５】
図６に示すように、折り畳まれた状態の棚側部材２を壁側部材１に対して開くと、棚側部材２は壁側部材１のピン４を支点にして、棚側部材２のステー１６が壁側部材１のウェブ１ｂに当接するまで回転し、棚側部材２が壁側部材１に対して略直角になる。
【００３６】
次に図７に示すように、棚側部材２を壁側部材１に向かって長孔５の伸びる方向の水平方向にスライドさせることによって、板ばね２２が長孔５の右端部に移動したピン４に係合し、棚側部材２が壁側部材１に仮止めされる。このとき、板ばね２２の中央の盛り上がった山部２２ａがピン４に嵌まるので、棚側部材２が仮止めされた状態にあることを感触で知ることができ、棚側部材２が壁側部材１に仮止めされた状態が保持される。
【００３７】
この仮止め状態においては、棚側部材２が壁側部材１に対して回転しないように、ピン４よりも奥側の棚側部材２と壁側部材１の上壁部とが当接する。これにより、壁側部材１に対して棚側部材２を折り畳むことができなくなる。棚板にかかる垂直方向の荷重は、ピン４を支点とし、棚側部材２と壁側部材１の上壁部１ｃとの当接点Ｐ１を作用点とする梃の原理により負荷される。
【００３８】
仮止め状態においては、棚側部材２に一体に形成したステー１６は、壁側部材１の奥側まで移動している。次に図８に示すように、摘み６を壁側部材１の案内溝１０の下側の凹部１１から上側の凹部１１へと移動させると、ロック部材１２が壁側部材１を上方へスライドし、ロック部材１２が棚側部材２のステー１６に係合する。このロック状態においては、棚側部材２を壁側部材１から引き出すことができない。以上により、折り畳まれた状態の棚側部材２を使用状態にすることができる。
【００３９】
使用状態の棚側部材２を折り畳まれた状態にするには以下の工程を経る。ロック状態において、まず図７に示すように、ロック部材１２を棚側部材２から離間する方向にスライドさせることによって、ロック部材１２と棚側部材２のステー１６との係合が外れ、棚側部材２を壁側部材１から引き出せるようになる。次に図６に示すように、棚側部材２を壁側部材１から離間する方向に長孔５に沿ってスライドさせる。棚側部材２はそのステー１６が壁側部材１のウェブ１ｂに当接するまで長孔５に沿ってスライドする。これにより、回転の支点になるピン４から棚側部材２の当接点Ｐ１までの距離も短くなり、棚側部材２が壁側部材１に対して回転できるようになる。すなわち、棚側部材２を壁側部材１に対して折り畳むことができるようになる。次に図５に示すように、棚側部材２が壁側部材１の傾斜面１ａ１に当接するまで棚側部材２を回転させれば、棚側部材２が折り畳み状態になる。
【００４０】
図９は本発明の第二の実施形態の棚受け具を示す。この実施形態の棚側部材２の側壁部２ａは、壁側部材１の側壁部１ａの外側に嵌められる。図１０の分解斜視図に示すように、棚側部材２の側壁部２ａには段差が付けられておらず、壁側部材１の側壁部１ａに対向する一対の側壁部１ａ間の幅を狭めるように段差２１が付けられる。壁側部材１の側壁部１ａの上部には、外側に折り曲げられる上壁部１ｃが形成される。この上壁部１ｃが、ピン４を支点として回転する棚側部材２の回転を制限する回転制限部として機能する。上壁部１ｃの替わりに一対の側壁部１ａ間にピンを掛け渡し、当該ピンが棚側部材２に当接するようにしてもよい。壁側部材１及び棚側部材２の基本構造、動作は上記第一の実施形態と同一なので、同一の符号を付してその説明を省略する。
【００４１】
なお、本発明は上記実施形態に限られることはなく、本発明の要旨を変更しない範囲で様々に変更できる。例えば、壁側部材にピンを、棚側部材に長溝を設けることができれば、壁側部材及び棚側部材の断面形状は様々に変更できる。長溝は長さ方向の両端部が閉じた長孔でなくても、端部が開放される溝でもよい。棚受け具の強度をより向上させるため、棚側部材と壁側部材との間に棚板のモーメント荷重を受ける連結アームを架渡してもよい。
【符号の説明】
【００４２】
１…壁側部材
１ｃ…上壁部（回転制限部）
２…棚側部材
４…ピン
５…長孔（長溝）
１２…ロック部材
１６…ステー
【図１】
2010183966.tif 000003
【図２】
2010183966.tif 000004
【図３】
2010183966.tif 000005
【図４】
2010183966.tif 000006
【図５】
2010183966.tif 000007
【図６】
2010183966.tif 000008
【図７】
2010183966.tif 000009
【図８】
2010183966.tif 000010
【図９】
2010183966.tif 000011
【図１０】
2010183966.tif 000012